(57)【要約】【課題】従来の事務用品或いは文房具としてのファイル帳の欠点を解消し、透明でストックされたものが見やすく、しかも被収納物の紫外線による退色、変色を十分に防止して、鮮明な状態を長期にわたって保持することができるファイル帳及び綴じ込み用シートの提供を課題とする。【解決手段】紫外線の透過を阻止するＵＶカット透明フィルムにより構成した収納袋シート１０又は収納ポケットシートを、表表紙１２と裏表紙１３との間に複数枚重ねて製本し或いは加除自在に綴じ込んだファイル帳である。また紫外線の透過を阻止するＵＶカット透明フィルムにより全体を収納袋シート又は収納ポケットシートに構成すると共に一辺を帯状の綴じ込み領域として、該領域に綴じ込み穴を設けてある綴じ込み用シートである。【選択図】        図１
2004237509.tif 000002
【特許請求の範囲】
【請求項１】
紫外線の透過を阻止するＵＶカット透明フィルムにより構成した収納袋シートを、表表紙と裏表紙との間に複数枚重ねて製本してあることを特徴とするファイル帳。
【請求項２】
紫外線の透過を阻止するＵＶカット透明フィルムにより構成した収納袋シートを、表表紙と裏表紙との間に加除自在に綴じ込んであることを特徴とするファイル帳。
【請求項３】
紫外線の透過を阻止するＵＶカット透明フィルムを用いた台紙に、同じく紫外線の透過を阻止するＵＶカット透明フィルムを重ねて複数の収納ポケットを形成してなる収納ポケットシートを、表表紙と裏表紙との間に複数枚重ねて製本してあることを特徴とするファイル帳。
【請求項４】
紫外線の透過を阻止するＵＶカット透明フィルムを用いた台紙に、同じく紫外線の透過を阻止するＵＶカット透明フィルムを重ねて複数の収納ポケットを形成してなる収納ポケットシートを、表表紙と裏表紙との間に加除自在に綴じ込んであることを特徴とするファイル帳。
【請求項５】
紫外線の透過を阻止するＵＶカット透明フィルムにより全体を収納袋シートに構成すると共に、該収納袋シートの開口に隣接する一辺を帯状の綴じ込み領域として、該領域に綴じ込み穴を設けてあることを特徴とする綴じ込み用シート。
【請求項６】
紫外線の透過を阻止するＵＶカット透明フィルムを用いた台紙に対して同じく紫外線の透過を阻止するＵＶカット透明フィルムを重ねて複数の収納ポケットを形成することで、全体を収納ポケットシートに構成すると共に、該収納ポケットシートの一辺を帯状の綴じ込み領域として、該領域に綴じ込み穴を設けてあることを特徴とする綴じ込み用シート。
【発明の詳細な説明】
【０００１】
【発明の属する技術分野】
本発明はファイル帳及び綴じ込み用シートに関する。
【０００２】
【従来の技術】
写真、印刷物等を収納してストックしておくアルバム等のファイル帳には、そこに綴じ込まれる各葉（シート）が一体的に製本されたものと、各葉（シート）が加除できる、いわゆるバインダー形式のファイル帳がある。
これらのファイル帳の各葉（シート）にファイルされる対象は、写真、印刷物を初めとする様々なものがあるが、それらのファイル対象物は少なくともそこに保管、保存されるべき何らかの重要物であることから、単に保管、保存されるだけではなく、その保管、保存の状態が良好に維持されることが望ましい。
従来のアルバムのようなものは、重厚で不透明な表紙と厚い台紙をもって、写真等の退色をある程度防止してきたが、経年的な退色の欠点があった。
一方、ファイル帳には重厚な表紙を用いないものも多くあり、特に最近ではファイル帳の各葉が透明なシートで構成されたものもある。ファイル帳の各葉を透明シートで構成したものでは、その透明シートからなる各葉に収納されて、保管、保存される写真、印刷物等の被収納物が透明シートの両面から自由に見ることができるメリットがある。
【０００３】
【発明が解決しようとする課題】
ところが上記透明なシートで各葉を構成したアルバムやその他のファイル帳を初めとして、写真や印刷物、その他の紙や薄物をストックする事務用品といわれるものに用いられる透明シートに関しては、ストックされるものに対する退色を防止という危機感のようなものが薄く、またその退色の一番の原因が紫外線であるという認識も低いことから、それら従来の事務用品には紫外線カットの透明シートは全く用いられていなかった。
勿論、食品関係の包装に関しては、食品の変質を防止する目的で紫外線カットの包装シートも用いられていたが、あくまで人の生命にも関わる分野としての食品分野に限られたものであった。
【０００４】
そこで本発明は、上記従来の事務用品或いは文房具としてのファイル帳の欠点を解消し、透明でストックされたものが見やすく、しかも被収納物の紫外線による退色、変色を十分に防止して、鮮明な状態を長期にわたって保持することができるファイル帳及び綴じ込み用シートの提供を課題とする。
【０００５】
【課題を解決するための手段】
上記課題を達成するため、本発明のファイル帳は、紫外線の透過を阻止するＵＶカット透明フィルムにより構成した収納袋シートを、表表紙と裏表紙との間に複数枚重ねて製本してあることを第１の特徴としている。
また本発明のファイル帳は、紫外線の透過を阻止するＵＶカット透明フィルムにより構成した収納袋シートを、表表紙と裏表紙との間に加除自在に綴じ込んであることを第２の特徴としている。
また本発明のファイル帳は、紫外線の透過を阻止するＵＶカット透明フィルムを用いた台紙に、同じく紫外線の透過を阻止するＵＶカット透明フィルムを重ねて複数の収納ポケットを形成してなる収納ポケットシートを、表表紙と裏表紙との間に複数枚重ねて製本してあることを第３の特徴している。
また本発明のファイル帳は、紫外線の透過を阻止するＵＶカット透明フィルムを用いた台紙に、同じく紫外線の透過を阻止するＵＶカット透明フィルムを重ねて複数の収納ポケットを形成してなる収納ポケットシートを、表表紙と裏表紙との間に加除自在に綴じ込んであることを第４の特徴としている。
また本発明の綴じ込み用シートは、紫外線の透過を阻止するＵＶカット透明フィルムにより全体を収納袋シートに構成すると共に、該収納袋シートの開口に隣接する一辺を帯状の綴じ込み領域として、該領域に綴じ込み穴を設けてあることを第５の特徴としている。
また本発明の綴じ込み用シートは、紫外線の透過を阻止するＵＶカット透明フィルムを用いた台紙に対して同じく紫外線の透過を阻止するＵＶカット透明フィルムを重ねて複数の収納ポケットを形成することで、全体を収納ポケットシートに構成すると共に、該収納ポケットシートの一辺を帯状の綴じ込み領域として、該領域に綴じ込み穴を設けてあることを第６の特徴としている。
【０００６】
【発明の実施の形態】
以下の図面を参照しながら、本発明の実施形態を更に詳細に説明する。
図１は本発明のファイル帳の第１の実施形態を示す概略斜視図、図２は本発明のファイル帳の第２の実施形態を示す概略斜視図、図３は本発明のファイル帳の第３の実施形態を示す概略斜視図、図４は本発明のファイル帳の第４の実施形態を示す概略斜視図、図５は本発明の綴じ込み用シートの実施形態を示す概略斜視図、図６は本発明の綴じ込み用シートの他の実施形態を示す概略斜視図、図７は本発明の綴じ込み用シートの更に他の実施形態を示す概略斜視図である。
【０００７】
先ず図１を参照して、本発明の第１の実施形態であるファイル帳は、その各葉である収納袋シート１０を、表表紙１２と裏表紙１３との間に複数枚重ねて製本して構成している。
前記収納袋シート１０は、上部に開口１１ａを有する袋に形成されており、その全体を紫外線の透過を阻止するＵＶカット透明フィルムで構成している。
前記ＵＶカット透明フィルムは、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。
前記表表紙１２と裏表紙１３の材質は特に限定されるものではなく、紙、プラスチック、その他の材料により構成することができる。
写真、印刷物、その他の比較的薄手の被収納物を収納袋シート１０内に入れてストックする。被収納物は透明の収納袋シート１０の外から自由に見ることができる。また被収納物は収納袋シート１０により紫外線をカット（遮断）される結果、退色、変色が長期にわたって十分に防止される。
【０００８】
図２に示す第２の実施形態であるファイル帳は、その各葉である収納袋シート２０を、表表紙２２と裏表紙２３との間に加除自在に綴じ込んで構成している。
前記加除自在の綴じ込みは、バインダー部２４を用いて、該バインダー部２４の開閉ピン２４ａを収納袋シート２０の綴じ込み穴２１ｂに通すことで行うことができる。バインダー部２４の綴じ方の形式は図面に示す様なものに限定されるものではなく、要するに加除自在に閉じ込むことができるものであればよい。
前記収納袋シート２０は、上記図１の収納袋シート１０と同様に、上部に開口２１ａを有する袋に形成されており、その全体を紫外線の透過を阻止するＵＶカット透明フィルムで構成している。またＵＶカット透明フィルムは、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。
前記表表紙２２と裏表紙２３の材質は特に限定されるものではなく、紙、プラスチック、その他の材料により構成することができる。
写真、印刷物、その他の比較的薄手の被収納物を収納袋シート２０内に入れてストックする。被収納物は収納袋シート２０と共に自由にファイル帳から外したり、取り付けたりすることができる。被収納物は透明の収納袋シート２０の外から自由に見ることができ、且つ紫外線がカット（遮断）されて、退色、変色の防止がなされる。
【０００９】
図３に示す第３の実施形態であるファイル帳は、その各葉である収納ポケットシート３０を、表表紙３２と裏表紙３３との間に複数枚重ねて製本し、構成している。
前記収納ポケットシート３０は、複数の収納ポケット３５を形成したシートである。この収納ポケット３５の形成は、ＵＶカット透明フィルムを用いた台紙３０ａに、同じくＵＶカット透明フィルムからなる上紙３０ｂを重ねて、各収納ポケット３５の開口３５ａを除く３辺を熱溶着か、熱圧着か、糊付けかによる接着３５ｂにより閉止することで行っている。
前記収納ポケット３５は横向きの開口３５ａからなるポケットとなっているが、開口３５ａが上向きに開いているものであってもよい。
前記ＵＶカット透明フィルムは、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。台紙３０ａと上紙３０ｂとは、ＣＰＰフィルム同士が合わさるようにして接着３５ｂされる。
本実施形態では収納ポケット３５の開口３５ａは横向きに構成されているが、上向きに構成してもよい。また収納ポケット３５の数や配置は特に限定されるものではない。
前記表表紙３２と裏表紙３３の材質は特に限定されるものではなく、紙、プラスチック、その他の材料により構成することができる。
写真、印刷物、その他の比較的薄手の被収納物を収納ポケットシート３０内に入れてストックする。被収納物は透明の収納ポケットシート３０の外から自由に見ることができる。また被収納物は収納ポケットシート３０により紫外線をカット（遮断）される結果、退色、変色が長期にわたって十分に防止される。
【００１０】
図４に示す第４の実施形態であるファイル帳は、その各葉である収納ポケットシート４０を、表表紙４２と裏表紙４３との間に加除自在に綴じ込んで構成している。
前記加除自在の綴じ込みは、バインダー部４４を用いて、上記図２に示す実施形態の場合と同様に綴じ込むことができる。
前記収納ポケットシート４０は、上記図３に示す実施形態の収納ポケットシート３０と同様に構成することができる。複数の収納ポケット４５は、ＵＶカット透明フィルムを用いた台紙４１ａに、同じくＵＶカット透明フィルムからなる上紙４１ｂを重ねて、各収納ポケット４５の開口４５ａを除く３辺を熱溶着か、熱圧着か、糊付けかによる接着４５ｂにより閉止することで構成する。
収納ポケット４５の開口４５ａは横向きに構成されているが、上向きに構成してもよい。また収納ポケット４５の数や配置は特に限定されるものではない。また表表紙４２と裏表紙４３の材質は特に限定されるものではなく、紙、プラスチック、その他の材料により構成することができる。
写真、印刷物、その他の比較的薄手の被収納物を収納ポケットシート４０内に入れてストックする。被収納物は透明の収納ポケットシート４０を介して外から自由に見ることができ、また紫外線をカット（遮断）される。
【００１１】
図５を参照して、本発明の綴じ込み用シートの実施形態を説明する。この綴じ込み用シートは、図２に示したファイル帳に加除自在に綴じ込まれる収納袋シート２０と基本的に同様である。全体をＵＶカット透明フィルムにより収納袋シート５０に構成すると共に、該収納袋シート５０の開口５１ａに隣接する一辺を帯状の綴じ込み領域５１ｃとし、該綴じ込み領域５１ｃに綴じ込み穴５１ｂを設けている。前記ＵＶカット透明フィルムは、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。
製造は、帯状のシートを半折した後、開口５１ａでのカットと、綴じ込み領域５１ｃと底部５１ｄとでの熱溶着か、熱圧着か、糊付けかによる接着５１ｅと、且つ綴じ込み領域５１ｃでの綴じ込み穴５１ｂの内抜きとを同時的に或いは２〜３の工程で行う。
綴じ込み用シートの加除自在の綴じ込みは、例えば上記図２に示すようなバインダー部（２４）を用いて、該バインダー部（２４）の開閉ピン（２４ａ）を収納袋シート５０の綴じ込み穴５１ｂに通すことで行うことができる。
写真、印刷物、その他の被収納物を収納袋シート５０内に入れてストックする。被収納物は収納袋シート５０と共に綴じ込んだり外したりすることができる。被収納物は透明の収納袋シート５０の外から自由に見ることができ、且つ紫外線がカット（遮断）されて、退色、変色の防止がなされる。
【００１２】
図６を参照して、本発明の綴じ込み用シートの他の実施形態を説明する。この綴じ込み用シートは、図４に示したファイル帳に加除自在に綴じ込まれる収納ポケットシート４０と基本的に同様である。全体をＵＶカット透明フィルムにより収納ポケットシート６０に構成すると共に、該収納ポケットシート６０の一辺を帯状の綴じ込み領域６１ｃとし、該綴じ込み領域６１ｃに綴じ込み穴６１ｂを設けている。前記ＵＶカット透明フィルムは、ＯＰＰフィルム（延伸ポリプロピレンフィルム）とＣＰＰフィルム（無延伸ポリプロピレンフィルム）とを紫外線防止剤入りの透明接着剤で接着してなるラミネートフィルムで構成している。
本実施形態では、収納ポケット６５は、上向きの開口６５ａを有するものを、１段に３つずつ、３段にして構成している。構成は、台紙６０ａとなるＵＶカット透明フィルムに対して３枚の上紙６０ｂである帯状のＵＶカット透明フィルムを上、中、下の３段にして重ねて２重にし、上向きの開口６５ａが残るように熱溶着か、熱圧着か、糊付けかによる接着６５ｂをすることにより行う。
写真、印刷物、その他の被収納物を収納ポケット６５内に入れてストックする。被収納物は収納ポケットシート６０と共に綴じ込んだり外したりすることができる。被収納物は透明の収納ポケットシート６０の外から自由に見ることができ、且つ紫外線がカット（遮断）されて、退色、変色の防止がなされる。
【００１３】
図７を参照して、本発明の綴じ込み用シートの更に他の実施形態を説明する。この綴じ込み用シートは写真のネガフィルムを収納して保存するのに適するようにしたもので、複数のネガフィルム収納用の収納ポケット７５を形成した収納ポケットシート７０を形成している。収納ポケット７５はＵＶカット透明フィルムを用いた台紙７０ａに同じくＵＶカット透明フィルムからなる上紙７０ｂを重ねて、収納ポケット７５を除く部分を接着７５ｂすることで、開口７５ａを有する水平方向の帯状の隙間として構成している。ＵＶカット透明フィルムの構成は既述と同様である。７１ｂは綴じ込み穴、７１ｃは綴じ込み領域である。
写真のネガフィルムを収納ポケット７５の開口７５ａから差し入れてストックすることで、収納ポケット７５の外からそのままネガの像を見ることができると共に、長期間にわたって紫外線による悪影響を排除することができる。
【００１４】
なお上記各実施例において、透明接着剤に含有させる紫外線防止剤はベンゾトリアゾール系紫外線吸収剤とすることができる。また透明接着剤に含有させる代わりに、前記ＯＰＰフィルムとＣＰＰフィルムの何れか一方または両方にベンゾトリアゾール系紫外線吸収剤を含有させるようにしてもよい。
【００１５】
【発明の効果】
本発明は以上の構成、作用よりなり、請求項１に記載のファイル帳によれば、紫外線の透過を阻止するＵＶカット透明フィルムにより構成した収納袋シートを、表表紙と裏表紙との間に複数枚重ねて製本してあるので、
製本されたファイル帳の各葉である収納袋シートに写真や印刷物、その他のものを収納することで、収納袋シートの外から被収納物を自由に見ることができると共に、紫外線が被収納物に当たるのをカットして、その被収納物が退色したり、変色したりする紫外線の悪影響を十分に防止しながら保存、保管をすることができる。
また請求項２に記載のファイル帳によれば、紫外線の透過を阻止するＵＶカット透明フィルムにより構成した収納袋シートを、表表紙と裏表紙との間に加除自在に綴じ込んであるので、
表表紙と裏表紙との間に加除自在に綴じ込んだ各葉である収納袋シートに写真や印刷物、その他のものを収納することで、被収納物を収納袋シートの外から自由に見ることができると共に、被収納物への紫外線の照射をカットすることができ、被収納物の退色、変色、その他、紫外線による悪影響を十分に防止しながら保存、保管を行うことができる。また各収納袋シートは自在に追加して綴じ込んだり、取り外したりすることができる。
また請求項３に記載のファイル帳によれば、紫外線の透過を阻止するＵＶカット透明フィルムを用いた台紙に、同じく紫外線の透過を阻止するＵＶカット透明フィルムを重ねて複数の収納ポケットを形成してなる収納ポケットシートを、表表紙と裏表紙との間に複数枚重ねて製本してあるので、
製本されたファイル帳の各葉である収納ポケットシートの収納ポケットに写真や印刷物、その他のものを収納することで、被収納物を透明の収納ポケットを介して外から自由に見ることができると共に、収納ポケット内への紫外線の侵入を阻止して、被収納物が退色したり、変色したりする紫外線の悪影響を防止しながら保存、保管を行うことができる。
また請求項４に記載のファイル帳によれば、紫外線の透過を阻止するＵＶカット透明フィルムを用いた台紙に、同じく紫外線の透過を阻止するＵＶカット透明フィルムを重ねて複数の収納ポケットを形成してなる収納ポケットシートを、表表紙と裏表紙との間に加除自在に綴じ込んであるので、
表表紙と裏表紙との間に加除自在に綴じ込んだ各葉である収納ポケットシートの収納ポケットに写真や印刷物、その他のものを収納することで、被収納物を収納ポケットシートの外から自由に見ることができると共に、被収納物への紫外線の照射をカットすることができ、被収納物の退色、変色、その他、紫外線による悪影響を十分に防止して保存、保管を行うことができる。勿論、各収納ポケットシートは自在に追加して綴じ込んだり、取り外したりすることができる。
また請求項５に記載の綴じ込み用シートによれば、紫外線の透過を阻止するＵＶカット透明フィルムにより全体を収納袋シートに構成すると共に、該収納袋シートの開口に隣接する一辺を帯状の綴じ込み領域として、該領域に綴じ込み穴を設けてあるので、
綴じ込み用シートである収納袋シートに写真や印刷物、その他のものを収納することで、被収納物を収納袋シートの外から自由に見ることができると共に、被収納物への紫外線の照射をカットすることができ、被収納物の退色、変色、その他、紫外線による悪影響を十分に防止して保存、保管を行うことができる。そして収納袋シートの綴じ込み領域に設けた綴じ込み穴を用いて、自由にバインダーに綴じ込んだり、取り外したりすることができる。
また請求項６に記載の綴じ込み用シートによれば、紫外線の透過を阻止するＵＶカット透明フィルムを用いた台紙に対して同じく紫外線の透過を阻止するＵＶカット透明フィルムを重ねて複数の収納ポケットを形成することで、全体を収納ポケットシートに構成すると共に、該収納ポケットシートの一辺を帯状の綴じ込み領域として、該領域に綴じ込み穴を設けてあるので、
綴じ込み用シートである収納ポケットシートの収納ポケットに写真や印刷物、その他のものを収納することで、被収納物を収納ポケットの外から自由に見ることができると共に、被収納物への紫外線の照射をカットすることができ、被収納物の退色、変色、その他、紫外線による悪影響を十分に防止して保存、保管を行うことができる。そして収納ポケットシートの綴じ込み領域に設けた綴じ込み穴を用いて、自由にバインダーに綴じ込んだり、取り外したりすることができる。
【図面の簡単な説明】
【図１】本発明のファイル帳の第１の実施形態を示す概略斜視図である。
【図２】本発明のファイル帳の第２の実施形態を示す概略斜視図である。
【図３】本発明のファイル帳の第３の実施形態を示す概略斜視図である。
【図４】本発明のファイル帳の第４の実施形態を示す概略斜視図である。
【図５】本発明の綴じ込み用シートの実施形態を示す概略斜視図である。
【図６】本発明の綴じ込み用シートの他の実施形態を示す概略斜視図である。
【図７】本発明の綴じ込み用シートの更に他の実施形態を示す概略斜視図である
【符号の説明】
１０、２０        収納袋シート
１１ａ、２１ａ    開口
１２、２２        表表紙
１３、２３        裏表紙
２１ｂ            綴じ込み穴
３０、４０        収納ポケットシート
３２、４２        表表紙
３３、４３        裏表紙
３５、４５        収納ポケット
３５ａ、４５ａ    開口
３５ｂ、４５ｂ    接着
５０              収納袋シート
５１ａ            開口
５１ｂ            綴じ込み穴
５１ｃ            綴じ込み領域
５１ｅ            接着
６０、７０        収納ポケットシート
６１ｂ、７１ｂ    綴じ込み穴
６１ｃ、７１ｃ    綴じ込み領域
６５、７５        収納ポケット
６５ａ、７５ａ    開口
６５ｂ、７５ｂ    接着
【図１】
2004237509.tif 000003
【図２】
2004237509.tif 000004
【図３】
2004237509.tif 000005
【図４】
2004237509.tif 000006
【図５】
2004237509.tif 000007
【図６】
2004237509.tif 000008
【図７】
2004237509.tif 000009